(57)【要約】【課題】軽量で薄く、かつ身体防護性の高い身体防護チョッキを提供すること、及び所定の防御性能を保ち、歩行性、装着性、運動性、作業性および着心地のよい身体防護チョッキを提供する。更に予想される現場の状況に応じて、異なった種類のチョッキを選択使用すること無く、同一のチョッキ本体を着用し、衝撃緩衝パッドのみを単に交換するのみですむ身体防護チョッキを提供する。【解決手段】柔軟材で成形したチョッキ本体の前見頃及び後見頃に又は肩部と前見頃及び後見頃に、チャック付のポケットを設け、そのポケット内に衝撃緩衝パッドを装出入可能に装填し、衝撃緩衝パッドは、緩衝材又はその表面に補強材を施し且つ配置部位の身体表面形状に沿って成形する。胴部の括れ相当部には紐式又はベルト式の締め調節具を設けて、チョッキ本体を胴部の括れにフィットさせる身体防護チョッキ。【選択図】図１
0003181702.tif 000002
【実用新案登録請求の範囲】
【請求項１】
柔軟材で成形したチョッキ本体の肩部及び前見頃及び後見頃に、チャック付のポケットを設け、そのポケット内に衝撃緩衝パッドを装出入可能に装填し、衝撃緩衝パッドは、緩衝材又はその表面に補強材を施し且つ配置部位の身体表面形状に沿って成形したことを特徴とする身体防護チョッキ。
【考案の詳細な説明】
【技術分野】
【０００１】  本考案は、身体防護チョッキに関するものであり、建築作業者、造船作業者、土木作業者、これらの現場における解体作業者、及び歩行者等が、不慮の転倒、転落、飛来物や障害物との衝突などが発生しても、その生命に掛かる上半身を確実に防護してその被害を最小限に止める優れた身体防護チョッキを提供する。
【背景技術】
【０００２】  従来から、身体防護チョッキとしては、金属製の鎧状、多層状パッドなどで全体を構成したチョッキや、強度の高いアラミド繊維等により編んだ布材を所定枚数重ねて全体を構成したチョッキなどが提案されている。【０００３】しかしながら、上記従来の身体防護チョッキでは次の各種課題がある。（Ａ）上記金属製チョッキでは、金属の強度が低くかつ比重が大きいために、所定の防御性能を得るために金属板の厚さを大きくする必要が生じ、結果的にチョッキ全体の重量が重くなる。また、大型の金属板をチョッキ形に裁断して鎧状に接続する構成は、着心地が悪く且つ作業性が極めて悪い。【０００４】（Ｂ）アラミド繊維布を所定枚数重ねて構成した身体防護チョッキでは、衝撃能力の高い危険物に対抗するために重ねる枚数を増やす（例えば３０枚程度）が、アラミド繊維布を多数枚重ねる構成では、柔軟性のある布材を使用しても着心地が悪くなるとともに、水に濡れた場合に多量に水分を含んでしまい重くなる。また、この構成では体の熱が逃げにくくなるため、夏は蒸れて着にくい。【０００５】（Ｃ）さらに、アラミド繊維布を多数枚重ねる構成では、危険物が当たったときに危険物が体内に入ることは防止できるものの、アラミド繊維布に直接に危険物が衝突するため衝撃のときに身体が受ける衝撃が大きく、衝撃時に装着者の身体的、心理的ショックが大きくなってしまう。
【考案の概要】
【考案が解決しようとする課題】
【０００６】  本考案は上記課題を解決する、身体防護チョッキを提供することにある。具体的な主目的は、軽量で薄く、かつ身体防護性の高い身体防護チョッキを提供すること、及び所定の防御性能を保ちながら、歩行性、装着性、運動性、作業性および着心地を維持し、更に予想される現場の状況に応じて、異なった種類のチョッキを選択使用すること無く、同一のチョッキ本体を着用しながら身体防護用の衝撃緩衝パッドのみを単に交換するのみで対応することが出来る身体防護チョッキを提供することにある。
【課題を解決するための手段】
【０００７】（１）、柔軟材で成形したチョッキ本体の肩部及び前見頃及び後見頃に、チャック付のポケットを設け、そのポケット内に衝撃緩衝パッドを装出入可能に装填し、衝撃緩衝パッドは、緩衝材又はその表面に補強材を施し且つ配置部位の身体表面形状に沿って成形したことを特徴とする身体防護チョッキ。（２）、胴部の括れ相当部に紐式又はベルト式の締め調節具を設けて、チョッキ本体を胴部の括れにフィットさせることを特徴とする前記（１）に記載の身体防護チョッキ。
【考案の効果】
【０００８】  本考案の身体防護チョッキは、通常の普段着、作業衣等の上に簡単に着ることができる。  本考案の身体防護チョッキは、軽量で薄く、かつ所定の防御性能を保ち、歩行性、装着性、運動性、作業性および着心地のよい身体防護チョッキである。  更に予想される現場の状況に応じて、異なった種類のチョッキを選択使用すること無く、同一のチョッキ本体を着用し、衝撃緩衝パッドのみを単に交換するのみですむ簡易な身体防護チョッキである。  また本考案の身体防護チョッキは、チョッキ本体において、上半身の重要な部位に相当するところである肩部と、前見頃と、後見頃にポケットを設け、このポケットに、作業に適応した所要の緩衝機能と補強機能を有する衝撃緩衝パッドを装填しておけば、上方、前面、背面の何れから衝撃を受けた場合でもそのポケットに装填してある衝撃緩衝パッドの補強材と緩衝材により衝撃力が緩衝されて身体へのダメージが阻止され身体を守ることが可能となる。【０００９】  また衝撃緩衝パッドは、上半身の少なくとも重要な部位に相当するところに配置してあるので身体防護チョッキ全体の軽量化を有利に図ることができる。  更に、チャック付のポケットは、衝撃緩衝パッドを着脱可能に収容するため、衝撃緩衝パッドを必要に応じて、肩部と、前見頃と、後見頃の一部のポケット部のみに衝撃緩衝パッドを装填して作業したり、衝撃緩衝パッドを全て取り外してチョッキ本体のみで軽作業を行うことも臨機応変に容易に可能となる。またチョッキ本体のみにしてクリーニングすることも容易である。【００１０】つまり、肩部と、前見頃と、後見頃の一部からの衝撃に耐え得る身体防護チョッキとして用いることができるだけでなく、作業状況に応じてそのポケット部を自由に選択しその選択ポケット部に適正な形状と材質の衝撃緩衝パッドを挿入することが可能であり、ポケット部と衝撃緩衝パッドとの組み合わせ形態は、現場における判断に基づいて適宜行うこともできるもので、より経済性が高く且つ機動性に富んだ使用態様を採ることのできる身体防護チョッキである。
【図面の簡単な説明】
【００１１】
【図１】本考案の身体防護チョッキの実施例を示す正面図である。
【図２】身体防護チョッキの背面図である。
【図３】身体防護チョッキの各ポケットに装填する衝撃緩衝パッドの２例を示す鳥瞰図である。
【図４】身体防護チョッキの他の例を側面からみた鳥瞰図である。
【考案を実施するための形態】
【００１２】本考案において、前記チョッキ本体は、例えば、下着の上にそのまま着用してよく、或いは通常の普段着、または作業衣等の上に着るものである。  チョッキ本体は、胴部の括れ相当部に紐式やベルト式の締め調節具を設けて、チョッキ本体を胴部の括れにフィットさせることが出来る。またチョッキ本体はサイドにも紐式やベルト式の長さ調節具を設けて、身体へのチョッキ本体のフィットを更に良好にして、作業性とその安全性を確保することが出来る。前記チョッキ本体の材質は、普通強度或いは高強度の植物繊維製布や化学繊維製布或いは不繊布などでよく、またこれらを複数枚重合させてキルティング処理をした厚布でも良い。
【００１３】前記衝撃緩衝パッドは、外部からの衝撃を緩衝するものであり、衝撃緩衝パッドの形状は、着用する作業者の配置部位の身体表面形状に沿って成形することが好ましい。衝撃緩衝パッドは、緩衝材のみの一層成形パッドでよく或いは緩衝材と補強材の二層成形パッドでよい。
【００１４】緩衝材のみの一層成形パッドの場合の緩衝材は、外部から受けた局部的な衝撃力を全面で伝播吸収するものであり、スポンジ、真綿、多層綿布、可撓クッション性樹脂などの衝撃吸収材を用い、これらの厚みを二層成形パッドに比し増厚させることとなる。
【００１５】二層成形パッドの場合、パッドの前面（表面）に配置する補強材は、外部から受けた衝撃力を全面に伝播吸収する所謂一次緩衝するものであり、金属板例えば、チタン又はその合金板、アルミ又はその合金板、ステンレススチール板等、あるいは樹脂板例えば、硬質又は可撓性の天然樹脂板、人口樹脂板等でよい。
【００１６】衝撃緩衝パッドの後面（裏面）に配置する前記緩衝材は、外部からの衝撃を受けた補強材からの一次緩衝力を更に全面で吸収する所謂二次緩衝するものであり、スポンジ、真綿、多層綿布、可撓クッション性樹脂などの衝撃吸収材を用いる。つまりこの二層成形パッドの場合は、前記一次緩衝と二次緩衝の相乗効果により、一層成形パッドの場合に比し、全体の厚みを大幅に薄くすることが出来、その軽量化を有利に可能にする。
【００１７】前見頃及び後見頃に設けるチャック付のポケットは、着用する作業者の体躯及び作業内容などに応じて、形状及び分割数を考慮したものでよい。形状は、装填する衝撃緩衝パッドの形状に対応して装填しやすい形状にする。ポケットのチャックは、ポケットの上端部、側端部、下端部、中央部のいずれかに水平か斜めの直線状で或いは曲線状に設ける。或いは上端部から側端部に亘って鍵状又は円弧状に、又は側端部から下端部に亘って鍵状又は円弧状に連続して設けるなど装出入し易いように設ける。而して、考案を実施するための形態については次の実施例において具体的に紹介する。
【実施例１】
【００１８】本例の身体防護チョッキ１００は、布製のチョッキ本体１０１と、その前見頃１０２及び後見頃１０３に設けたチャック２００付のポケット３０１〜３０９と、その各ポケット３０１〜３０９内に装脱可能に装填した衝撃緩衝パッド４１０、４２０とからなる。衝撃緩衝パッド４１０、４２０の構造は図３（１）（２）に鳥瞰図でしめす。【００１９】前記布製のチョッキ本体１０１は、普通強度の植物繊維製布で縫製したもので、前見頃１０２の中央部にファスナー１０４を施し着用を容易にしたものである。チョッキ本体は、胴部の括れ相当部にベルト式の締め調節バックルＢを設けて、チョッキ本体を胴部の括れにフィットさせる。またチョッキ本体は図示していないが、サイドにもベルト式の長さ調節バックルを設けて、身体へのチョッキ本体のフィットを更に良好にして、作業性とその安全性を確保する。【００２０】前見頃１０２に設けたチャック２００付のポケット３０１〜３０４は、心臓部と左肺を覆う部位の第一ポケット３０１と右肺を覆う部位の第二ポケット３０２と左右腹部を覆う部位の第三ポケット３０３及び第四ポケット３０４を設置してある。【００２１】後見頃に設けるチャック２００付のポケット３０５〜３０９は、背骨の周囲を覆う部位の第五ポケット３０５と、左右の両肺を覆う部位の第六ポケット３０６及び第七ポケット３０７と、左右の両腎臓を覆う部位の第八ポケット３０８及び第九ポケット３０９を設置してある。【００２２】前見頃１０２のポケット３０１〜３０４に装填する前記緩衝材４１０は、図３の（１）に示し、多少圧縮した２０〜６０ｍｍ厚のスポンジ４１１の表面に補強材として、厚み１０〜２０ｍｍの硬質ゴム４１２を貼ったものである。軽作業用にスポンジのみのものを用意してある。【００２３】後見頃１０３のポケット３０５〜３０９に装填する前記緩衝材４２０は、図３の（２）に示し、多少圧縮した２０〜６０ｍｍ厚のスポンジ４２１の表面に補強材として、軽量の厚み３ｍｍのチタン合金板４２２を貼ったものである。軽作業用にスポンジのみのものを用意してある。【００２４】これら前記緩衝材４１０、４２０の形状は、当該身体部分へのフィット形状相当に成形し、この緩衝材を装填する当該ポケットの形状は、装填対応の当該緩衝材の形状に応じてそれが装出入可能な形状にすることは勿論である。【００２５】  図４例の身体防護チョッキは、布製のチョッキ本体１０１の肩部ＫにもファスナーＫＦ付のポケットＫ１を設け、そのポケットＫ１内に図３の（２）に示す二層構造の衝撃緩衝パッドＫ２を装脱可能に装填した例である。この肩部ＫのポケットＫ１と衝撃緩衝パッドＫ２は、上方からの落下物、又は肩への衝突物、或いは肩からの転倒や落下に対処するもので、その危険性が無い場合は省略できる。【００２６】  図４には、チョッキ本体１０１の透明にして示す各ポケットに装入した緩衝材の形状例を示す右半分の鳥瞰図である。  チョッキ本体１０１は、胴部の括れ相当部に紐式の締め調節具Ｌを設けて、チョッキ本体１０１を胴部の括れにフィットさせることができて、作業性とその安全性を確保する。  図４において、ポケットＫ１内の衝撃緩衝パッドＫ２の形状は、肩部Ｋの頂部とその前後にフィットする湾曲���状にし、第一ポケット３０１と第二ポケット３０２に挿入の緩衝材４１０−１，４１０−２の形状は、当該胸筋にフィットする湾曲形状にし、第三ポケット３０３、第四ポケット３０４に挿入の緩衝材４１０−３，４１０−２の形状は、当該腹部にそって湾曲フィットする形状にし、第五ポケット３０５に装填する緩衝材４１０−１は、背筋のＳ字湾曲に沿った形状に対応したＳ字湾曲形状に成形し、第六ポケット３０６と第七ポケット３０７に挿入の緩衝材４２０−２，４２０−３の形状は、当該肩胛骨にフィットする形状にし、第八ポケット３０８と第九ポケット３０９に挿入の緩衝材４２０−４，４２０−５の形状は、当該腎臓部にそって湾曲フィットする形状にして、局部接触部を可能な限り少なくし面接触部を多くして緩衝機能を高めて安全性を確保したものである。
【産業上の利用可能性】
【００２７】本考案の身体防護チョッキは、前記の優れた効果によって、建築作業者、造船作業者、土木作業者、これらの現場における解体作業者、及び歩行者等が、不慮の転倒、転落、飛来物や障害物との衝突などが発生しても、その生命に掛かる上半身を確実に防護してその被害を最小限に止める優れた考案であり、一般歩行者は勿論、前記各作業業界での安全作業維持に大いに貢献すること多大なものがある。
【符号の説明】
【００２８】１００：身体防護チョッキ１０１：布製のチョッキ本体１０２：前見頃１０３：後見頃Ｋ：肩部２００、ＫＦ：チャック（ファスナー）３０１〜３０９、Ｋ１：ポケット４１０、４２０、Ｋ２：衝撃緩衝パッド４１０−１〜４１０−４：衝撃緩衝パッド４２０−１〜４２０−５：衝撃緩衝パッド
【図１】
0003181702.tif 000003
【図２】
0003181702.tif 000004
【図３】
0003181702.tif 000005
【図４】
0003181702.tif 000006